(57)【要約】【課題】画像形成装置の筐体にある本来の排出口から排出される画像形成後の用紙を受け入れて給紙カセット等の用紙収容体の元の引き出し方向とは異なる方向に排出する追加搬送装置を装着する画像形成装置として、その追加搬送装置を装着したときにも、画像形成装置の取り扱い性の良さが確保される画像形成装置等を提供する。【解決手段】画像形成装置は、筐体と、筐体の内部に設置され、用紙に画像を形成する作像装置と、前記筐体に引き出し可能に装着され、前記作像装置に供給する用紙を収容する用紙収容体と、前記筐体の内部に設置され、前記作像装置で画像が形成された用紙を前記筐体に設ける排出口から前記用紙収容体の第一引き出し方向Ａと同類の方向Ｂに排出する排出装置とを備え、かつ、前記用紙収容体が、前記追加搬送装置を装着したときに当該用紙収容体の第一引き出し方向Ａと異なる第二引き出し方向Ｄに引き出される構造を有している。【選択図】図５
2009234693.tif 000002
【特許請求の範囲】
【請求項１】
筐体と、
前記筐体の内部に設置され、用紙に画像を形成する作像装置と、
前記筐体に引き出し可能に装着され、前記作像装置に供給する用紙を収容する用紙収容体と、
前記筐体の内部に設置され、前記作像装置で画像が形成された用紙を前記筐体に設ける排出口から前記用紙収容体の第一引き出し方向と同類の方向に排出する排出装置とを備え、
前記筐体に取り付けられる第二筐体の内部に、前記排出口から排出される用紙を受け入れて前記第二筐体に設ける第二排出口から前記用紙収容体の第一引き出し方向とは異なる排出方向に排出する用紙搬送路が設置された追加搬送装置を装着するように構成され、
かつ、前記用紙収容体が、前記追加搬送装置を装着したときに当該用紙収容体の第一引き出し方向と異なる第二引き出し方向に引き出される構造を有していることを特徴とする画像形成装置。
【請求項２】
前記用紙収容体の第二引き出し方向が前記追加搬送装置の排出方向と同類の方向である請求項１に記載の画像形成装置。
【請求項３】
前記追加搬送装置の装着の有無に応じて前記用紙収容体の装着押し込み方向及び引き出し方向をそれぞれ規制する規制装置と、前記規制装置の規制状態を前記追加搬送装置の装着の有無に応じて切り替える切替え手段とを有する請求項１又は２に記載の画像形成装置。
【請求項４】
前記切替え手段は、前記追加搬送装置の着脱動作に連動して作動する機構である請求項３に記載の画像形成装置。
【請求項５】
請求項１〜４のいずれかに記載の画像形成装置の筐体に取り付けられる第二筐体と、前記第二筐体の内部に設置される、前記排出口から排出される用紙を受け入れて前記第二筐体に設ける第二排出口から前記用紙収容体の第一引き出し方向とは異なる排出方向に排出する用紙搬送路とを備えていることを特徴とする追加搬送装置。
【請求項６】
前記画像形成装置の筐体に押しボタンを有する第一操作部が設けられており、かつ、第二筐体が当該追加搬送装置の装着時に前記第一操作部を隠蔽する構造を有し、
前記第二筐体に前記第一操作部の押しボタンを押して機能させる第二押しボタンを有する第二操作部を設けている請求項５に記載の追加搬送装置。
【請求項７】
請求項５又は６に記載の追加搬送装置が装着されている請求項１〜４のいずれかに記載の画像形成装置。
【発明の詳細な説明】
【技術分野】
【０００１】
この発明は、画像形成装置及びこれに適用する追加搬送装置に関するものである。
【背景技術】
【０００２】
プリンタ、複写機等の画像形成装置としては、電子写真方式、インクジェット方式等の各種記録方式を利用して用紙に画像を形成し、その画像が形成された用紙を装置本体（筐体）の外部に設置する排紙部などに排出して収容するものがある。
【０００３】
このような画像形成装置のなかには、筐体の上部にシート積載部（排紙部）を設けるとともに、筐体の上方に画像読取装置を配置した画像形成装置において、画像形成後に筐体の上面に排出されるシートを、そのシート積載部にむかう方向とは異なる方向に折り返して搬送し、画像読取装置の下方空間（シート積載部とは異なる積載トレイ部材）に排出する折り返し排出機構（ユニット）を装着できるように構成したものが知られている（特許文献１）。ちなみに、この折り返し機構を装着する画像形成装置では、折り返し機構の装着の有無のかかわらず、画像形成に供されるシートを収容する給紙カセットが、筐体の下部において一方向に引き出して着脱可能に装着できるように構成されている。
【０００４】
なお、従来においては、２つの側部に設けられた操作位置と、画像形成部に転写紙を供給するために画像形成部の下部に設置される給紙ユニットとを備えた画像形成装置において、その給紙ユニットの給紙トレイを各操作方向から引き出し可能とし、どちら側からでも転写紙の補給を可能にするという目的から、その給紙トレイを、水平方向に移動可能に支持するとともに上記２つの操作位置からそれぞれ外に引き出し可能に構成することが知られている（特許文献２）。
【０００５】
また、画像形成装置の下方に設ける給紙ユニットにおいて、操作位置とは反対側に給紙トレイが引き出し可能であり、その引き出し方向と同一列に複数のストッパーをもつとともにそのストッパーの両側にコロを有し、引き出す方向とは逆のコロがストッパーから退避動作することにより、一方向のみ引き出しを可能にした給紙ユニットと、その給紙ユニットを用いた画像形成装置が知られている（特許文献３）。
【特許文献１】特開２００７−１５５８８０号公報
【特許文献２】特開平９−１５０９６７号公報
【特許文献３】特許第３８３３５８９号公報
【発明の開示】
【発明が解決しようとする課題】
【０００６】
この発明は、画像形成装置の筐体にある本来の排出口から排出される画像形成後の用紙を受け入れて給紙カセット等の用紙収容体の元の引き出し方向とは異なる方向に排出する追加搬送装置を装着することができる画像形成装置として、その追加搬送装置を装着したときにも、画像形成装置の取り扱い性の良さが確保される画像形成装置及びこれに適用する追加搬送装置を提供することを目的としている。
【課題を解決するための手段】
【０００７】
この発明（Ａ１）の画像形成装置は、
筐体と、前記筐体の内部に設置され、用紙に画像を形成する作像装置と、前記筐体に引き出し可能に装着され、前記作像装置に供給する用紙を収容する用紙収容体と、前記筐体の内部に設置され、前記作像装置で画像が形成された用紙を前記筐体に設ける排出口から前記用紙収容体の第一引き出し方向と同類の方向に排出する排出装置とを備え、
前記筐体に取り付けられる第二筐体の内部に、前記排出口から排出される用紙を受け入れて前記第二筐体に設ける第二排出口から前記用紙収容体の第一引き出し方向とは異なる排出方向に排出する用紙搬送路が設置された追加搬送装置を装着するように構成され、
かつ、前記用紙収容体が、前記追加搬送装置を装着したときに当該用紙収容体の第一引き出し方向と異なる第二引き出し方向に引き出される構造を有しているものである。
【０００８】
この発明（Ａ２）の画像形成装置は、上記発明Ａ１の画像形成装置において、前記用紙収容体の第二引き出し方向を前記追加搬送装置の排出方向と同類の方向としたものである。
【０００９】
この発明（Ａ３）の画像形成装置は、上記発明Ａ１又はＡ２の画像形成装置において、前記追加搬送装置の装着の有無に応じて前記用紙収容体の装着押し込み方向及び引き出し方向をそれぞれ規制する規制装置と、前記規制装置の規制状態を前記追加搬送装置の装着の有無に応じて切り替える切替え手段とを有するものである。
【００１０】
この発明（Ａ４）の画像形成装置は、上記発明Ａ３の画像形成装置において、前記切替え手段を、前記追加搬送装置の着脱動作に連動して作動する機構としたものである。
【００１１】
また、この発明（Ａ５）の追加搬送装置は、上記発明Ａ１〜Ａ４のいずれかの画像形成装置の筐体に取り付けられる第二筐体と、前記第二筐体の内部に設置される、前記排出口から排出される用紙を受け入れて前記第二筐体に設ける第二排出口から前記用紙収容体の第一引き出し方向とは異なる排出方向に排出する用紙搬送路とを備えているものである。
【００１２】
この発明（Ａ６）の追加搬送装置は、上記発明Ａ５の追加搬送装置において、前記画像形成装置の筐体に押しボタンを有する第一操作部が設けられており、かつ、第二筐体が当該追加搬送装置の装着時に前記第一操作部を隠蔽する構造を有し、
前記第二筐体に前記第一操作部の押しボタンを押して機能させる第二押しボタンを有する第二操作部を設けているものである。
【００１３】
この発明（Ａ７）の画像形成装置は、上記発明Ａ１〜Ａ４のいずれかの画像形成装置において、上記発明Ａ５又はＡ６の追加搬送装置が装着されているものである。
【発明の効果】
【００１４】
上記発明Ａ１の画像形成装置によれば、画像形成装置の筐体にある本来の排出口から排出される画像形成後の用紙を受け入れて用紙収容体の元の引き出し方向とは異なる方向に排出する追加搬送装置を装着したときに、用紙収容体の引き出し方向が元の第一引き出し方向と異なる方向に変更されて画像形成装置の取り扱い性の良さが確保される。この結果、用紙収容体への用紙の補給や、追加搬送装置から排出された用紙の回収などの作業を画像形成装置（筐体）のほぼ同じ側の位置からアクセスして行うことが可能になる。
【００１５】
上記発明Ａ２の画像形成装置では、用紙収容体の第二引き出し方向が追加搬送装置の排出方向と同類の方向に揃えられるので、その構成を有しない場合に比べて、画像形成装置に関する取り扱い性がさらに良くなる。
【００１６】
上記発明Ａ３の画像形成装置では、その構成を有しない場合に比べて、追加搬送装置を装着しないとき及びそれを装着したときにおける各用紙収容体の装着又は引き出しの作業を間違えることなく正確に行うことができ取り扱いやすくなる。
【００１７】
上記発明Ａ４の画像形成装置では、追加搬送装置の着脱動作に連動して切替え手段が作動して制止装置の制止状態を自動的に切り替えるので、その構成を有しない場合に比べて、追加搬送装置を装着しないとき及びそれを装着したときにおける各用紙収容体の装着押し込み及び引き出しの作業を容易かつ正確に行うことができさらに取り扱いやすくなる。
【００１８】
上記発明Ａ５の追加搬送装置によれば、画像形成装置に装着したときに、追加搬送装置による用紙の排出方向が異なることになるにもかかわらず、その画像形成装置における用紙収容体の引き出し方向が元の第一引き出し方向と異なる方向に変更されるので、その構成を有しない場合に比べて、画像形成装置の取り扱い性の良さを犠牲にせず確保することができる。
【００１９】
上記発明Ａ６の追加搬送装置では、その構成を有しない場合に比べて、画像形成装置に装着したときに、その画像形成装置の第一操作部が隠蔽されて使用できなくなるにもかかわらず、その追加搬送装置の筐体に設けられる第二操作部の第二押しボタンを押すと第一操作部の押しボタンを押して機能させることができ、画像形成装置の取り扱い性の良さと第一操作部の機能を犠牲にせず確保して有効に利用することができる。
【００２０】
上記発明Ａ７の画像形成装置によれば、その構成を有しない場合に比べて、追加搬送装置が装着されていても画像形成装置の取り扱い性の良さが確保される。
【発明を実施するための最良の形態】
【００２１】
［第１の実施形態］
図１〜図５は、この発明の第１の実施形態に係る画像形成装置及びこれに装着する反転搬送装置を示すものである。図１は画像形成装置、図２は反転搬送装置、図３及び図４は画像形成装置に反転搬送装置を装着した状態、図５は反転搬送装置を装着したときの画像形成装置における給紙カセットの引き出し状態をそれぞれ示す。
【００２２】
図１等において符合１は、画像を用紙に形成して出力する画像形成装置である。この画像形成装置１は、図１〜図８等に示すように、筐体１０、筐体１０の内部に設置されて用紙９に画像を形成する作像装置２と、筐体１０に対して矢印で示す方向Ａに引き出し可能に装着されて作像装置２に供給する用紙９を収容する給紙カセット３と、作像装置２で画像が形成された用紙９を筐体１０に設ける第一排出口１１から給紙カセット３の引き出し方向Ａと類似する方向Ｂに排出する排出装置４とを主に備えている。
【００２３】
筐体１０は、支持フレーム、外装カバー等で構成されるものであり、この実施形態では高さが低めに設定された外観全体がほぼ立方体の形状（４つの側面と上下の２面を主に有する箱型形状）に形成されている。筐体１０は、その下部に給紙カセット３（の一部）を収容して装着するためのカセット装着（空間）部３０が１つ側面（１０Ａ）の下部に装着口３０ａを有する形状で形成されており、また、その同じ側面（１０Ａ）の上部に画像形成後の用紙９が排出される（第一）排出口１１が形成されている。
【００２４】
作像装置２は、電子写真方式等を利用してトナー像を形成して用紙９に転写した後に定着するものであり、作像転写部２Ａと定着部２Ｂを有している。
【００２５】
作像転写部２Ａは、画像を形成して用紙に転写するものであり、回転する感光ドラム１２と、感光ドラム１２の表面（像保持面）を帯電させる帯電装置１３と、感光ドラム１２の帯電された表面に画像情報（信号）に基づく光を照射（露光）して電位差のある静電潜像を形成する露光装置１４と、その感光ドラム１２上の静電潜像を現像剤としてのトナーにより現像してトナー像にする現像装置１５と、そのトナー像を用紙９に転写する転写装置１６と、転写後の感光ドラム１２の表面に残留するトナー等を除去して清掃する清掃装置１７とで主に構成されている。定着部２Ｂは、作像転写部２Ａで転写された未定着の画像を用紙に定着するものであり、筐体２１の内部に、加熱手段によって表面温度が所定の温度に保持されるように加熱されるとともに矢印方向に回転する加熱回転体２２、加熱回転体２２の回転軸方向にほぼ沿う表面部分に所定の圧力で接触して圧接部（定着処理部）を形成しつつ回転する加圧回転体２３とを設置して構成されている。
【００２６】
給紙カセット３は、図６、図７等に示すように、複数枚の用紙９を積載した状態で収容する用紙収容凹部３２が形成されたトレイ状のカセット本体３１で構成されている。この給紙カセット３では、その用紙収容凹部３２の装着先頭側における底面に収容中の用紙９を給紙時に持ち上げる底板３３が設けられている（図６）。図７中の符合３４は、給紙カセット３を引き出す際に使用者が手をかける取っ手用の凹部である。また、この給紙カセット３は、画像形成装置１に装着したときに筐体１０から外部に突出して露出する部分（装着時突出部）を覆うために装着するカセットカバー３５を備えている。このカセットカバー３５は、その上面部３５ａが画像形成後の用紙９を収容するための排紙部として兼用されるように構成されている。その排紙部となる上面部３５ａは、排出口１１よりも下方の空間に位置するように形成される。
【００２７】
給紙カセット３は、その装着先端部３１ａを、画像形成装置１の筐体１０の装着口３０ａから挿し入れてカセット装着部３０に収容することで装着される（図１、図６、図８参照）。この際、給紙カセット３は、カセット装着部３０に設けられる不図示のガイド板やガイドレール等に支持されて案内される。また、給紙カセット３の装着は、実用時には、その用紙収容凹部３２に所定の用紙９を収容した状態で行われる。さらに、カセットカバー３５については、装着する前の給紙カセット３の本体３１に予め取り付けられるか、又は装着した後の給紙カセット３の本体３１に取り付けられる。
【００２８】
また、この給紙カセット３に関連して筐体１０のカセット装着部３０の奥側には、給紙カセット３に収容された用紙９を１枚ずつ送り出すための送出装置３６が設けられている。送出装置３６は、送り出しロール３６ａ、搬送ロール３６ｂ、重送防止ロール３６ｂ等で構成されている。さらに、筐体１０のカセット装着部３０（送出装置３６）と作像装置２との間には、給紙カセット３から送り出される用紙９を作像装置２の転写部（転写装置１６の感光ドラム１２と対向する部位）に搬送する給紙路が形成されている。給紙路は、搬送ロール対３７や不図示の用紙搬送ガイド材等で形成されている。作像装置２の直近に設置される搬送ロール対３７は、搬送される用紙９の先端部を一時的に停止させた後、所定の送り出しタイミングが到来した時点で再駆動して送り出すための搬送時期調整ロール対として構成される。
【００２９】
排出装置４は、作像装置２（の定着部２Ｂ）の用紙排出側と排出口１１との間を接続するように設けられる排出ロール対４１、用紙搬送ガイド材等で構成されている。
【００３０】
この画像形成装置１による画像形成は、次のように行われる。
【００３１】
まず、作像装置２の作像転写部２Ａにおいて、図８に示すように、感光ドラム１２が矢印で示す方向に回転し、その感光ドラム１２の表面が帯電装置１３により所定の帯電電位に帯電された後、その帯電されたドラム表面に露光装置１４により画像信号に基づく露光が行われて所定の潜像電位からなる静電潜像が形成される。続いて、現像装置１５において供給される帯電されたトナーが感光ドラム１２の静電潜像部分に静電的に付着することでトナー像が形成される。しかる後、転写装置１６と対向する転写位置において、感光ドラム１２上のトナー像が、給紙カセット３から送り出されて供給される用紙９に静電的に転写される。トナー像が転写された後の感光ドラム１２は、その表面が清掃装置１７において清掃される。用紙の供給は、送出装置３６により給紙カセット３に収容される用紙９が１枚ずつ送り出され、その送り出された用紙９が搬送ロール対３７等を経由して転写位置まで搬送されることで行われる。図８における矢付きの一点鎖線は、用紙９の主な搬送経路（用紙搬送路にもほぼ相当する）を示す。
【００３２】
次いで、この作像転写部２Ａで未定着のトナー像が転写された用紙９は、作像装置２の定着部２Ｂに搬送され、その加熱回転体２２と加圧回転体２３との間の圧接部に導入される。この圧接部を通過する際に未定着のトナー像が加熱加圧されて用紙９に定着される。定着後の用紙９は、排出装置４の排出ロール対４１等により搬送されて排出口１１から排出された後、給紙カセット３の一部（装着時突出部）に取り付けられるカセットカバー３５の上面部３５ａに落下して収容される。これにより、１枚の用紙９に対する基本的な画像形成動作が終了するが、画像形成の要求内容が複数枚の用紙９に対するものである場合にはこのような画像形成動作が同様に繰り返される。
【００３３】
そして、この画像形成装置１においては、例えば給紙カセット３に収容される用紙９がなくなって空になったり、用紙９の種類を変更する必要が生じたりすると、その給紙カセット３が使用者により筐体１０のカセット装着部３０から矢印Ａで示す方向（引き出し方向）に引き出され、その用紙収容凹部３２に新たな用紙９が補給されたり別の種類の用紙が新たに収容される。用紙９が補給又は変更された給紙カセット３は、筐体１０のカセット装着口３０ａに対して引き出し方向Ａとは反対側の方向（装着押し込み方向）に所定の量だけ押し込むことで装着される。また、画像が形成された後の用紙９は、筐体１のカセット装着口３０ａと同じ側面１０Ａに形成された排出口１１から排出装置４により排出されてカセットカバー３５の上面部３５ａに収容されるが、この際、用紙９の排出方向Ｂは給紙カセット３の引き出し方向Ａと類似する方向である。
【００３４】
従って、この画像形成装置１では、給紙カセット３の引き出し方向Ａと用紙９の排出口１１からの排出方向Ｂとが同類の方向であるため、その使用者が例えば筐体１０の１つの側面１０Ａと対向する位置において給紙カセット３の用紙補給作業や、排出された画像形成後の用紙９の回収（採取）作業を行うことができる。換言すれば、筐体１０の側面１０Ａを画像形成装置１の（操作用）正面とし、使用者がその正面から用紙補給作業や用紙回収作業等の各種作業をまとめて行うことが可能である。これにより、画像形成装置１は取り扱いやすいものになっている。ここで、同類の方向とは、同一の方向に加えて、例えば進行方向がある１つの位置（使用者の操作立ちとなる位置など）にほぼ向かうように設定されて少しずれる程度の方向（例えば、ずれる角度が９０°以下、好ましくは４５°以下のもの）を含むものである。
【００３５】
一方、図２等において符合５は、画像形成装置１に任意に装着して使用される（オプション用の）反転搬送装置である。この反転搬送装置５は、図２〜図６及び図９等に示すように、筐体５０と、筐体５０の内部に設置されて画像形成装置１の排出口１１から排出される用紙９を受け入れてその表裏面を反転させた状態でその筐体５０に設ける（第二）排出口５１から排出する用紙搬送路５５とを主に備えている。
【００３６】
筐体５０は、支持フレーム、外装カバー等で構成されるものであり、この実施形態では画像形成装置１の筐体１０と着脱自在に合体することを前提として外観全体がほぼ立方体の形状で一部が上方に突出する形状で形成されている。
【００３７】
この筐体５０は、画像形成装置１の筐体１０の用紙排出口１１が形成された側面１０Ａと接合する装着側面５０Ａを有し、その装着側面５０Ａの上部に用紙排出口１１と対向して用紙９を受け入れる用紙導入口５１を形成し、その側面下部に給紙カセット３の一部（装着時突出部）を収容するためのカセット収容（空間）部５３を形成している。カセット収容部５３は、カセットカバー３５を除くカセット本体３１を収容できる形状及び寸法からなるトンネルまたは貫通孔のような形状の空間として形成される。また、カセット収容部５３には、給紙カセット３の移動を補助する不図示のガイド材が設けられている。
【００３８】
また、筐体５０は、その装着側面５０Ａと対向する側面５０Ｂ（図３）の側において上方に突出する部位５０Ｃが形成されている。筐体５０の突出部位５０Ｃは、画像形成装置１への装着時にその画像形成装置１側に向く突出対向面５０Ｃを有し、その突出対向面５０Ｃに用紙９を最終的に排出する排出口５１を形成している。
【００３９】
さらに、筐体５０は、突出部位５０Ｃの突出対向面５０Ｃの下部から装着側面５０Ａにむけて上昇するように傾斜する傾斜上面部５０Ｅが形成されている。この傾斜上面部５０Ｅは、最終的に画像形成装置１の筐体１０の上面１０Ｂと連続して接続されるように形成されており、その上面１０Ｂと協働して、排出口５１から排出される用紙９を収容する排紙部（の一部）として使用される。
【００４０】
用紙搬送路５５は、用紙導入口５２から筐体５０の内部の下方に延ばされた後に、筐体の突出部位５０Ｃにむけて湾曲するような状態で立ち上がって排出口５１に至るようなＵ字（又はＪ字）状の経路として形成されている。この用紙搬送路５５は、その経路上に所定の間隔をおいて配置される複数の搬送ロール対５６，５７と、導入口５２と搬送ロール対間や搬送ロール対どうし間に配置される複数の用紙ガイド材５８Ａ，５９Ｂ等で主に構成されている。
【００４１】
反転搬送装置５は、その使用に際しては、筐体５０の装着側面５０Ａを画像形成装置１の筐体１０の一側面１０Ａと接合させる状態で合体させることにより画像形成装置１に装着される。反転搬送装置５と画像形成装置１の間は、不図示の結合部材等で結合される。この装着時には、給紙カセット３の装着時突出部となるカセット本体３１がカセット収容部５３に隠蔽されるような状態で収容される。カセット収容部５３は、給紙カセット３を収容した際に、そのカセット本体３１の一側面を筐体５０の一側面に露出させた状態になるように形成されている（図３参照）。画像形成装置１に装着された反転搬送装置５は、その導出口５２が画像形成装置１の排出口１１と対向して接続された状態になり、また、その排出口５１が画像形成装置１側に向いた状態となる。さらに、その筐体１０の傾斜した上面５０Ｅが画像形成装置の筐体上面１０Ｂと連続した面を形成する状態になり、これによりその上面５０Ａと筐体上面１０Ｂとが一体となって排紙部を構成する。
【００４２】
そして、この反転搬送装置５を装着したときの画像形成は、次のように行われる。
【００４３】
前記したように画像形成装置１において画像形成が行われると、図９に示すように、その画像形成後の用紙９が排出口１１から排出された後、反転搬送装置５の導入口５２を通して反転搬送装置５の内部（筐体内）に導入される。反転搬送装置５に受け入れられた用紙９は、その筐体５０内の用紙搬送路５５により搬送されて排出口５１から排出される。
【００４４】
この際、画像形成後の用紙９は、画像形成装置１から排出される際には画像が形成された面（画像面）が上方に向いた状態（所謂フェイスアップの状態）で排出口１１から排出されるが、反転搬送装置５におけるＵ字（又はＪ字）状の用紙搬送路５５を通過することによりその表裏面が反転され（裏返され）、その画像面が下方に向いた状態（所謂フェイスダウンの状態）で反転搬送装置５の排出口５１から排出される。
【００４５】
このように表裏面が反転された状態で排出される用紙９は、最後に反転搬送装置５の筐体上面５０Ｅと画像形成装置１の筐体上面１０Ｂで構成される排紙部に排出されて収容される。
【００４６】
ところで、画像形成装置１は、反転搬送装置５を装着した場合、用紙９の排出口５１からの排出方向Ｃが、画像形成装置１における給紙カセット３の引き出し方向Ａとほぼ反対の方向になって本来の引き出し方向Ａとは異なることになる。また、この反転搬送装置５における用紙の排出方向Ｃは、画像形成装置１の排出口１１からの排出方向Ｂともほぼ反対側の方向になる（図９）。
【００４７】
そして、このような反転搬送装置５の用紙排出方向Ｃと画像形成装置１の給紙カセットの引き出し方向Ａが異なった関係のままでは、反転搬送装置５から排出された用紙９の回収作業を、例えば画像形成装置１の筐体１０の一側面１０Ｃ（排出口１１が設けられた側面１０Ａと対向する反対面）に向き合う位置からアクセスして行うとすると、給紙カセット３の引き出し作業については、その引き出し方向Ａが排出方向Ｃのほぼ反対の方向であることから、画像形成装置１の筐体１０の当該一側面１０Ｃとは反対側に位置する反転搬送装置５の筐体５０の一側面５０Ｂ側に向き合う位置からアクセスして行わなければならなくなる。このため、この場合には、共通した面からアクセスして作業を行うことができないため、その取り扱い性が悪いものとなる。
【００４８】
そこで、この画像形成装置１においては、図５、図８等に示すように、反転搬送装置５を装着したときには、給紙カセット３を本来の引き出し方向（第一引き出し方向）Ａとは異なる方向（第二引き出し方向）Ｄに引き出すことができる構造を採用している。この実施形態では、その第二引き出し方向Ｄについて、第一引き出し方向Ａとは正反対となる方向に設定している。このように設定される第二引き出し方向Ｄは、筐体１０の一側面１０Ｃを正面として見た場合にほぼ同じ位置に向かう方向になるという観点から、反転搬送装置５の用紙の排出方向Ｃと同類の方向になる。
【００４９】
以下、給紙カセット３の第二引き出し方向Ｄへの引き出しを可能にしている構造について説明する。
【００５０】
はじめに、この画像形成装置１では、給紙カセット３を第二引き出し方向Ｄへの引き出しを可能にするため、筐体１０の下部の一部１８を給紙カセット３と一体にして筐体１０の一側面１０Ｃから引き出して取り外せる構造（取り外し構造）にしている。
【００５１】
この筐体１０の図１０〜図１２等に示すように、給紙カセットのカセット本体３１が通過する空間を確保できる形状及び寸法からなる部位であり、筐体側面１０Ｃに露出する部分には、引き出しの際に手をかける取っ手凹部１９（図４、図１１参照）が形成されている。このため、取外し構造部１８は、第二引き出し方向Ｄへの引き出し時の取っ手部として利用されるようにも構成されている。また、この実施形態における取外し構造部１８には、送出装置３６における重送防止ロール３６ｃが搭載されており、その引き出しに際しては重送防止ロール３６ｃが接触している搬送ロール３６ｂから離れた状態になる。
【００５２】
また、この取外し構造部１８は、図１１や図１２に示すように、給紙カセット３（カセット本体３１の装着先頭部となる一端部３１ａ）との間に設けられている連結機構６で連結されるようになっている。図１１は連結機構６の非連結時の状態を、図１２は連結機構６の結合時の状態をそれぞれ示す。
【００５３】
連結機構６は、給紙カセット３のカセット本体３１の一側面３１ｃに設けられる連結突起部６１と、この連結突起部６１に引っ掛けられる鉤凹部６２ａが形成され、取外し構造部１８に設ける支持軸６３を支点として矢印Ｈ１，Ｈ２方向に揺動自在に取り付けられた連結材６２と、鉤凹部６２ａを連結突起部６１に引っ掛けた連結状態と連結突起部６１から外した連結解除状態にするよう連結材６２を揺動させる連結調整装置６５とで構成されている。連結材６２は、支持軸６３に取り付ける鶴巻ばね６４によって矢印Ｈ２の方向に揺動するように押された状態に保持されている。
【００５４】
連結調整装置６５は、画像形成装置１の筐体１０側に設置されるものであり、連結材６２の揺動自由端部と接触及び離間するよう矢印Ｍ１，Ｍ２方向に進退移動する進退可動材６６と、進退可動材６６を反転搬送装置５の装着動作に連動させて進退移動させる連動機構を有している。連結材６２の揺動自由端部には傾斜面６２ｂが形成されている。また、連動機構は、筐体１０側に設ける支持軸６７ａを支点として揺動する揺動材６７を有し、その一方の端部６７ｂに進退可動材６６を回転自在に取り付けるとともに、その他方の端部６７ｃに反転搬送装置５の装着動作により矢印Ｎで示す方向に移動するように動かされる受動材６８が取り付けられている。受動材６８は、コイルばね６９で矢印Ｎの方向とは反対の方向に移動しているように引っ張られた状態になっている。受動材６８は、図１２に示すように、反転搬送装置５の筐体５０の装着接合側面５０Ａに設けられる突起部５９Ａが突き当たることで矢印Ｎ方向に移動する。
【００５５】
このような連結機構６は、反転搬送装置５が装着されていないときには、図１１に示すように、連結調整装置６５の受動材６８がコイルばね６９の引っ張り力で矢印Ｎの方向と反対側の方向に移動した状態に保たれる。
【００５６】
この状態では、連結調整装置６５の進退可動材６６が矢印Ｍ１の方向に移動し、連結材６２をその下方から支持するので、連結材６２の鉤凹部６２ａがカセット本体３１の突起部６１から外れた状態に保たれることになる。この結果、給紙カセット３（カセット本体３１）は、取外し構造部１８とは連結せずに非連結の状態になる。このときは、給紙カセット３を単独で引き出し方向Ａに引き出すことが可能になる。
【００５７】
一方、反転搬送装置５が装着されたときには、図１２に示すように、反転搬送装置５の突起部５９Ａが連結調整装置６４の受動材６８に突き当たり、その受動材６８を押して矢印Ｎの方向に移動させた状態に保つ。
【００５８】
このため、連結調整装置６４の可動機構６６が矢印Ｍ２の方向に移動して連結材６２から離れた状態になるので、連結材６２は、コイルばね６４のばね力Ｆにより矢印Ｈ２の方向に揺動してその鉤凹部６１ａが連結突起部６１に引っ掛けられた状態に保たれる。この結果、給紙カセット３（カセット本体３１）は、取外し構造部１８と連結された状態に保たれる。このときは、給紙カセット３は取外し構造部１８と一体となるので、その取外し構造部１８を先頭にした状態で引き出し方向Ｄに引き出すことが可能になる（図５、図９）。
【００５９】
次に、この画像形成装置１では、給紙カセット３の第二引き出し方向Ｄへの引き出しを可能にするため、図１０、図１３〜図１７に示すように、反転搬送装置５の装着の有無に応じて給紙カセット３の装着押し込み方向（Ｄ，Ａ）及び引き出し方向（Ａ，Ｄ）をそれぞれ規制する規制装置７と、規制装置７の規制状態を反転搬送装置５の装着の有無に応じ切り替える切替え装置８とを設けている。
【００６０】
規制装置７は、給紙カセット３のカセット本体３１の一側面３１ａ（引き出し方向の左右に存在する側面のうちの一方）に設けられる規制突起部７１と、この規制突起部７１の挿入方向（Ｄ，Ａ：２つの引き出し方向Ａ，Ｄの正反対の方向となる）に沿う移動をそれぞれ制止させる制止部材７２とで構成されている。
【００６１】
このうち規制突起部７１は、給紙カセット３の装着及び引き出しの作業時にそのカセット本体３１の一側面３１ｃにおいて制止部材７２による制止作用が及ぶ位置に、例えば立方体状の突起として形成される（図１０）。
【００６２】
制止部材７２は、規制突起部７１と対向する側にその規制突起部７１の２つの側面７１ａ，７１ｂと別々に接触して規制する２つの規制面部７２ａ、７２ｂを形成したものであり、その規制面部７２ａ、７２ｂを規制突起部７１の移動時の軌道内にそれぞれ存在させるように筐体１０側に対して揺動可能な状態で取り付けられる。この実施形態では、制止部材７２と対向する側とは反対側に形成した支点軸７３を、筐体１０の側に固定して配置される支持材７６に回転自在に取り付けている（図１４など）。これにより、制止部材７２は支点軸７３を中心にして矢印Ｋ１，Ｋ２で示す方向に揺動する。
【００６３】
切替え装置８は、画像形成装置１の筐体１０に設けるスライド式のスイッチ板８１と、スイッチ板８１の矢印Ｊ１，Ｊ２で示すスライド方向に移動させる際の直線運動を制止部材７２の矢印Ｋ１，Ｋ２で示す方向への揺動運動に変換して伝える切替え動力伝達機構８２で構成されている。
【００６４】
スイッチ板８１は、筐体１０の一側面１０Ｄにおけるカセット装着部３０と相応する部位に、矢印Ｊ１，Ｊ２で示す方向に一定の距離だけ移動できるように取り付けられる（図１、図１３など）。切替え動力伝達機構８２は、制止部材７２の下部に形成するガイド面７５に接触しながら矢印Ｑ１，Ｑ２で示す方向に移動して制止部材７２を揺動させる移動材８３と、スイッチ板８１と移動材８３との間を接続してスイッチ板８１のスライド方向Ｊ１，Ｊ２の直線運動を移動材８３の移動方向Ｑ１，Ｑ２の直線運動に伝達するためのリンク材８４とで構成されている（図１３、図１５など）。
【００６５】
切替え動力伝達機構８２の移動材８３は、図１３、図１４等に示すように、給紙カセット３の２つの引き出し方向Ａ，Ｄにほぼ平行する方向に延びる直線ガイド溝８５ａが形成されたガイドレール８５に移動自在に取り付けられている。また、移動材８３は、その上部が１つの平面部８３ａとその平面部８３ａに隣接する２つの傾斜面８３ｂ，８３ｃとからなる山形の形状に形成されている。さらに、移動材８３は、リンク材８４の一端部と回転自在に接続する接続突起軸８３ｄが形成されている（図１７など）。
【００６６】
制止部材７２の下部に形成されるガイド面７５は、移動材８３の上部平面部８３ａが停止して存在したときに規制面７２ａ，７２ｂを規制突起部７１の側面７１ａ，７１ｂと向き合った状態にそれぞれ保持するための第一及び第二の停止ガイド面部７５ａ、７５ｂと、その停止ガイド面部７５ａ、７５ｂの間に位置し、移動材８３が矢印Ｑ１，Ｑ２の方向に移動する際に移動材８３の傾斜面８３ｂ，８３ｃに接触しつつ制止部材７２を矢印Ｋ１，Ｋ２のいずれかの方向に揺動させる逃げガイド面部７５ｃで構成されている。
【００６７】
切替え動力伝達機構８２のリンク材８４は、図１３、図１５等に示すように、その長孔８４ａが形成された板状のものであり、その一端部をスイッチ板８１に回転自在に取り付けている。また、リンク材８４は、その長孔８４ａのスイッチ板８１寄りの位置に、制止部材７２の支点軸７３の延長線上にほぼ設置される固定軸８６を差し込んでおり、さらに、その長孔８４ａのスイッチ板８１とは離れた位置に、移動材８３の接続突起軸８３ｄを回転自在に嵌め入れている。これにより、リンク材８４がスイッチ板８１と移動材８３との間を接続した状態になる。
【００６８】
このような規制装置７及び切替え装置８は、以下のように作動する。
【００６９】
まず、反転搬送装置５が装着されていないときには、図１、図１３等に示すように、切替え装置８のスイッチ板８１を矢印Ｊ１で示す方向に移動させて「非装着時の設定位置」で停止させる。
【００７０】
このスイッチ板８１の矢印Ｊ１の方向への移動により、リンク材８４が固定軸８６を中心にして点線矢印Ｓ１で示す方向に回転するので、移動材８３がその中立の位置（図１７ｂ）から矢印Ｑ１で示す方向に移動して停止する。このときの移動材８３の移動は、スイッチ板８１が「非装着時の設定位置」に達することで停止する。これにより、規制装置７の制止部材７２は、図１７ｂで示すような状態を経ながら矢印Ｋ１で示す方向に揺動し、移動材８３（の平面部８３ａ）が制止部材７２の第一停止ガイド面部７５ａの下に位置して停止した時点で、図１４や図１７ａに示すように、その規制面部７２ａが規制突起部７１の移動軌道内に立ちはだかって存在する状態に保持される。
【００７１】
規制装置７がこの状態にあるときに、図１３〜図１４、図１７等において示す矢印Ｄの方向に給紙カセット３を筐体１０の装着側面１０Ａにおける装着口３０ａからカセット収容部３０内に進めるように押し込むと、カセット本体３１の側面３１ｃに設けられた規制突起部７１は、その一側面７１ａがその進行方向の前方に存在する制止部材７２の規制面部７２ａに突き当たってそれ以降の移動を制止される。この結果、給紙カセット３は正式の装着位置まで押し込まれる。
【００７２】
またこの際、すでに装着された状態にある給紙カセット３を矢印Ｄの方向に引き出そうとした場合（つまり筐体１０の側面１０Ｃの側から引き出そうと試みた場合）は、規制突起部７１が制止部材７２で同様に制止されているため引き出すことができないが、矢印Ａで示す方向へは給紙カセット３を引き出すことが可能な状態になる。仮にこの際、給紙カセット３を筐体１０の側面１０Ｃの側から正規の装着方向Ｄとは反対の方向となる矢印Ａ方向に進めるように押し込むと、その規制突起部７１が、制止部材７２の正式な規制面部７２ａと接触することなく、規制面部７２ａの裏側となる外壁面７１ｃ（図１７ａ）に突き当たってその移動が禁止されるので、給紙カセット３をその正式な装着位置まで押し込むことができない。
【００７３】
一方、反転搬送装置５を装着するときには、図３、図１５等に示すように、切替え装置８のスイッチ板８１を矢印Ｊ２で示す方向に移動させて「装着時の設定位置」に停止させる。
【００７４】
このスイッチ板８１の矢印Ｊ２の方向への移動により、リンク材８４が固定軸８６を中心にして点線矢印Ｓ２で示す方向に回転するので、移動材８３がその中立の位置（図１７ｂ）から矢印Ｑ２で示す方向に移動して停止する。このときの移動材８３の移動は、スイッチ板８１が「装着時の設定位置」に達することで停止する。これにより、制止装置７の制止部材７２は、図１７ｂで示すような状態を経ながら矢印Ｋ２で示す方向に揺動し、移動材８３（の平面部８３ａ）が制止部材７２の第二停止ガイド面部７５ｂの下に位置して停止した時点で、図１６や図１７ｃに示すように、その規制面部７２ｂが規制突起部７１の移動軌道内に立ちはだかって存在する状態に保持される。
【００７５】
規制装置７がこの状態にあるときに、図１５〜図１７等において示す矢印Ａの方向に給紙カセット３を進めるように押し込むと、カセット本体３１の規制突起部７１は、その一側面７１ｂがその進行方向の前方に存在する制止部材７２の規制面部７２ｂに突き当たってそれ以降の移動を制止される。この結果、給紙カセット３は正式の装着位置まで押し込まれる。
【００７６】
またこの際、装着された状態にある給紙カセット３を矢印Ａの方向に引き出そうとした場合は、規制突起部７１が同様にして制止部材７２の規制面部７２ｂで制止されているため、引き出すことができないが、矢印Ｄで示す方向へは給紙カセット３を引き出すことが可能になる。仮にこの際、給紙カセット３を、反転搬送装置５の筐体５０の側面５０Ｂの側から正規の装着方向Ａとは反対の方向となる矢印Ｄ方向に進めるように押し込もうとすると、その規制突起部７１は、制止部材７２の正式な規制面部７２ｂと接触することなく、規制面部７２ｂの裏側の外壁面７１ｄ（図１７ｃ）に突き当たってその移動が禁止されるので、給紙カセット３をその正式な装着位置まで押し込むことができない。
【００７７】
以上のことから、この画像形成装置１では、反転搬送装置５を装着すると、前述したように連結機構６が作動して筐体１０の取外し構造部１９が給紙カセット３と連結されて一体となる。また、切替え装置８のスイッチ板８１を「装着時の設定位置」にセットすることで規制装置７が作動し、給紙カセット３を矢印Ｄの方向に押し込んで装着することができない状態になる（図１５、図１６、図１７ｃ）。
【００７８】
そして、反転搬送装置５を装着したときには、画像形成装置１に既に装着されている給紙カセット３は、規制装置７の規制状態の切り替えにより、取外し構造部１９と共に矢印Ｄ方向に引き出すことができる（図５、図９、図１５）。またこのときは、用紙９を補給した給紙カセット３を画像形成装置１の筐体１０の一側面１０Ｃ側からカセット装着部３０等に挿しこんで矢印Ａで示す方向に押し込むことで装着することができる。
【００７９】
この結果、画像形成装置１においては、反転搬送装置５を装着した場合、給紙カセット３の引き出し方向Ｄが、画像形成後の用紙９の反転搬送装置５の排出口５１から排出されるときの排出方向Ｃと同類の方向となる。このため、画像形成装置１の使用者は、例えば筐体１０の１つの側面１０Ｃに向き合う状態で、給紙カセット３の用紙補給作業や、反転搬送装置５から排出された画像形成後の用紙９の回収作業を行うことができ、取り扱いやすくなる。
【００８０】
また、この画像形成装置１では、誤って給紙カセット３を反転搬送装置５の筐体５０の一側面５０Ｂから（そのカセット収容部３５を通して）矢印Ｄで示す方向に挿入して装着しようとしても、その方向への押し込みが規制装置７で制止されて禁止される（図１５、図１６、図１７ｃ）。
【００８１】
［第２の実施形態］
この実施形態に係る画像形成装置及び反転搬送装置は、第１の実施形態に係る画像形成装置１に設ける規制装置７の切替え装置８に代えて、図１８に示すように、反転搬送装置５の装着動作に連動して作動する切替え装置８０を適用したものである。第１の実施形態における構成部分と共通する部分については、図中に同じ符合を付し、その説明を必要な場合以外は省略する（これ以降の実施形態においても同様とする）。
【００８２】
切替え装置８０は、手で操作するスイッチ板８１に代えて、画像形成装置１の筐体１０に矢印Ｊ１，Ｊ２で示す方向に受動移動する受動移動板８７を設けている。この受動移動板８７は、その一端部８７ａにおいて圧縮コイルばね８８のばね力Ｆを受けることにより矢印Ｊ１の方向に押された状態に保たれているとともに、その他端部８７ｂにおいて反転搬送装置５の接合側面５０Ａに設けた突起部Ｂがその装着時に突き当たることにより矢印Ｊ２の方向にばね力Ｆに抗して押されて移動するように取り付けられている。また、受動移動板８７は、リンク材８４を介して移動材８３と接続されており、これにより、第１の実施形態における切替え装置８の場合（スイッチ板８１）と同様に、移動装置７における制止部材７２を矢印Ｋ１，Ｋ２の方向に揺動させるようになっている。
【００８３】
そして、この切替え装置８０は、次のように作動する。
【００８４】
画像形成装置１に反転搬送装置５が装着されていないときには、切替え装置８０の受動移動板８７が圧縮コイルばね８８のばね力Ｆを受けて矢印Ｊ１で示す方向に移動して「非装着時の設定位置」で停止した状態に保たれる。
【００８５】
これにより、規制装置７の制止部材７２は、第１の実施形態におけるスイッチ板８１が「非装着時の設定位置」に停止している場合と同様に、移動材８３が制止部材７２の第一停止ガイド面部７５ａの下に位置して停止した状態になるため、その規制面部７２ａが規制突起部７１の移動軌道内に立ちはだかって存在する状態に保持される（図１３、図１７ａ参照）。この結果、制止部材７２の規制面部７２ａには、矢印Ｄの方向に進めるように押し込まれる給紙カセット３における規制突起部７１の一側面７１ａが突き当たるようになり、それ以降の規制突起部７１（給紙カセット３）の矢印Ｄ方向への移動を制止する。
【００８６】
一方、画像形成装置１に反転搬送装置５が装着されるときには、切替え装置８０の受動移動板８７が、反転搬送装置５の装着動作により、その端部８７ｂに反転搬送装置５の突起部５９Ｂが突き当たって押されることになるので、矢印Ｊ２で示す方向に移動して「装着時の設定位置」で停止した状態に保たれる。
【００８７】
これにより、規制装置７の制止部材７２は、第１の実施形態におけるスイッチ板８１が「装着時の設定位置」に停止している場合と同様に、移動材８３が制止部材７２の第一停止ガイド面部７５ｂの下に位置して停止した状態になるため、その規制面部７２ｂが規制突起部７１の移動軌道内に立ちはだかって存在する状態に保持される（図１５、図１７ｃ、図１９参照）。この結果、制止部材７２の規制面部７２ｂには、矢印Ａの方向に進めるように押し込まれる給紙カセット３における規制突起部７１の一側面７１ｂが突き当たるようなり、それ以降の規制突起部７１（給紙カセット３）の矢印Ａ方向への移動を制止する。
【００８８】
また、反転搬送装置５を取り外すときには、反転搬送装置５の取り外し動作により、その突起部Ｂが切替え装置８０の受動移動板８７から離れて押さなくなるので、受動移動板８７は「非装着時の設定位置」で停止した状態に保たれることとなる。
【００８９】
このように切替え装置８０を設けた場合には、反転搬送装置５の着脱動作に連動して切替え装置８０（の受動移動板８７）が作動して制止装置７の制止状態を自動的に切り替えるので、反転搬送装置５を装着しないとき及びそれを装着したときにおける給紙カセット３（及び取外し構造部１９）の装着時の押し込み作業や引き出し作業を間違えることなく正確に行うことができる。
【００９０】
反転搬送装置５の突起部５９Ｂは、連結機構６における連結調整装置６４の受動材６８に突き当たって押す反転搬送装置５９Ａ（図１２）と別々に形成せず、１つにまとめた突起部として形成してもよい。
【００９１】
［第３の実施形態］
この実施形態に係る画像形成装置及び反転搬送装置は、第１及ぶ第２の実施形態に係る画像形成装置１及び反転搬送装置５の各筐体の所定箇所に、図２０〜図２３に示すような押しボタンを有する操作パネル１１０，１２０をそれぞれ設けたものである。
【００９２】
画像形成装置１においては、図１や図２０に示すように、その筐体１０の上面１０Ｂにおける排出口１１と近い部分に、複数の押しボタン（１１１〜１１５など）を有する平面的な第一操作パネル１１０を設けている。押しボタン（１１１〜１１５など）は、画像形成装置の操作するうえで必要となる設定条件等の内容を選択、指示するために使用されるものであり、例えば上下左右への移動方向を選択して指示する選択指示ボタン、決定ボタン、取り消しボタン等である。
【００９３】
また、第一操作パネル１１０は、前述したように給紙カセット３の第一引き出し方向Ａと用紙の排出口１１からの排出方向Ｂが同類の方向であることから、画像形成装置１の正面を筐体１０の排出口１１が形成された側面１０Ａ（図１等参照）に設定することができるため、その側面１０Ａから見たときに視認及び操作ができるような押しボタンの向きや表示内容の向き等が設定されている。
【００９４】
この第一操作パネル１１０は、画像形成装置１に反転搬送装置５を装着したときに（図５、図９参照）、図２１に示すように、反転搬送装置５の筐体５０の一部（例えば上面５０Ｅの突き出し部）によって隠蔽されてしまう位置に配置されている。このため、反転搬送装置５を装着したときには、その押しボタン１１１等を押すことができないため使用できなくなる。
【００９５】
そこで、反転搬送装置５においては、図２や図２０、図２１等に示すように、その筐体５０の上面５０Ｅ（の突き出し部）のうちで第一操作パネル１１０の上方に重なるように位置する部分に、第一操作パネル１１０を有効に活用することができる複数の第二押しボタン（１２１〜１２６など）を配置した第二操作パネル１２０を設けている。第二押しボタン（１２１〜１２６など）は、基本的に第一操作パネル１１０における押しボタン（１１１〜１１５など）と同じ機能を果たすボタンが配置される。また、この第二操作パネル１２０には、液晶画面１３１を有する表示部１３０が併設されている。
【００９６】
第二操作パネル１２０は、反転搬送装置５の装着により用紙の排出口５１からの排出方向Ｃが画像形成装置１における給紙カセット３の第一引き出し方向Ｂとほぼ正反対の方向になる関係で給紙カセット３の引き出し方向を当該排出方向Ｃと同類の方向となる第二引き出し方向Ｄに変更している事情から、画像形成装置１の正面を筐体１０の側面１０Ｃ（図４等参照）に設定することができるため、その側面１０Ｃから見たときに視認及び操作ができるような押しボタンの向きや表示内容の向き等が設定されている。また、表示部１３０についても、その液晶画面１３１の向きを側面１０Ｃから視認できる方向に設定している。この第二押しボタンの配置は、第二操作パネル１１０の押しボタンの配置と対比する、１８０°回転させてずらした状態になる。
【００９７】
この事情も考慮して第二操作パネル１２０は、図２２や図２３等に示すように、その各第二押しボタン１２１等を押すと第一操作パネル１１０における各押しボタン１１１等（以下、「第一押しボタン」とも称す。）のいずれかを物理的に同時に押す押し棒（１４１など）を設けている。例えば、図２３に示すように、第二押しボタン１２１、１２２，１２５をそれぞれ押すと、押し棒１４１，１４２，１４３をそれぞれ介して、第一押しボタン１１１，１１２，１１５がそれぞれ押される。図２３において符合１０１は押しボタンの押下を検知する端子が配置された回路基板、１０２が各第一押しボタンを押下できるように支持する支柱、１０３は各第一押しボタン５０の押下を回路基板１０１の検知端子に伝える２本１組の検知作動棒である。
【００９８】
また、第一操作パネル１１０と第二操作パネル１２０においては、回路基板１０１として、各第二押しボタン１２１等の押下によりそれぞれ押される各第一押しボタン１１１等が回路基板１０１の検知端子に接触した際に、その第二押しボタン１２１等に付された機能を果たすように回路が判断して作動する第二機能を付加した構成のものを使用している。例えば、第二押しボタン１２１等と第一押しボタン１１１等を、１８０°回転したときに、その同じ機能を付されたボタンの配置も、ちょうど１８０°ずれた対称的な関係で配置している場合は、回路基板１０１として第一押しボタンの押下で検知して作動する機能も１８０°反転するようなパターンで第二機能を付加した構成のものを適用すればよい。
【００９９】
この回路基板１０１の第二機能への切り替えは、図２０、図２３等に示すように、第一操作パネル１１０に検知スイッチ１５１を設ける一方で、第二操作パネル１２０に検知スイッチ１５１を押下するスイッチ押し棒１５２を設ける。そして、反転搬送装置５を画像形成装置１に装着したときにスイッチ押し棒１５２が検知スイッチ１５１を押すことで回路基板１０１が第二機能に切り替わって作動するようにしておく。
【０１００】
このような第二操作パネル１２０を設けることにより、画像形成装置１に反転搬送装置５を装着して使用するときにも、その第二操作パネル１２０を筐体１０の側面１０Ｃ側から視認した状態で操作して画像形成動作等の設定条件を容易に設定又は変更することができる。この第二操作パネル１２０の操作作業も、給紙カセット３の補給作業や用紙の回収作業と同様の位置（側面１０Ｃと向き合う位置）からアクセスして行うことができる。
【０１０１】
また、第二操作パネル１２０は、その第二押しボタンの押下により第一操作パネル１１０の第一押しボタンを押して機能させているので、第二操作パネル１２０の専用の回路基板を使用する必要がなく、第一操作パネル１１０の回路基板１０１を兼用することができる。このため、第二操作パネル１２０には回路基板を配置する必要がない。なお、表示部１３０には、液晶画面１３１を表示動作させるための回路基板１３２を配置している（図２２）。
【０１０２】
［他の実施形態］
第１〜第３の実施形態においては、画像形成装置１に任意に装着する追加搬送装置として反転搬送装置５を例示したが、追加搬送装置としては、その追加搬送装置における用紙の排出方向Ｃが画像形成装置における給紙カセット３の第一引き出し方向Ａと異なる搬送装置であれば特に制限されない。追加搬送装置の他の例としては、例えば、図２４に例示するような両面・反転搬送装置２００を適用することも可能である。
【０１０３】
両面・反転搬送装置２００は、第１の実施形態等に係る反転搬送装置５において、その筐体５０に、片面への画像が形成された用紙９を受け入れてその表裏面を反転させた状態で画像形成装置の作像装置２に再送する両面搬送経路２０５を増設したものである。この両面・反転搬送経路２０５は、反転用の用紙搬送路５５を搬送して排出口５１から排出させる途中の用紙を筐体５０の内部に引き戻すように逆送させ、画像形成装置の作像装置２にむけて搬送する再送路を通して搬送する、いわゆるスイッチバック方式の用紙搬送路である。
【０１０４】
両面搬送経路２０５は、用紙搬送経路５５の下流側に正逆回転する搬送ロール対２０６，２０７を配置し、その２つの搬送ロール対２０５，２０７で逆送させる用紙９を搬送ロール対２０６の通過後に用紙搬送路５５と分離する再送路に送る構造になっている。逆送される用紙９を再送路に切り替えて送りこむため用紙搬送通路との分岐部（合流部）に、用紙の搬送先を変更する用紙搬送先変更材２０８を設けている。
【０１０５】
再送路は、用紙９を画像形成装置の給紙路に搬送ロール対３７の手前側の位置で合流させるまで搬送する必要があるため、筐体５０の下部に画像形成装置の筐体１０の内部空間に挿入して装着する再送路差込部２５０を形成したうえで、その再送路差込部２５０の内部に配置している。この再送路は、用紙搬送路５５との分岐部（用紙搬送先変更材２０８の設置箇所）から再送路差込部２５０の差込先端部２５０ａまでの間に、複数の搬送ロール対２０９，２１０等と、不図示の複数の用紙ガイド材等を配置して構成される。再送路差込部２５０の上方には、両面・反転搬送装置２００の装着時に画像形成装置の一部が入り込む装着用空間部２５１が設けられている。
【０１０６】
一方、この再送路差込部２５０を有する両面搬送装置２００が任意に装着される画像形成装置１００は、第１の実施形態等に係る画像形成装置１において、その筐体１０の排出口１１が形成された側面１０Ａの下部から突出する突出筐体部１５０を増設したものである。
【０１０７】
突出筐体部１５０は、再送路差込部２５０を装着する装着空間部１５１を形成したものである。装着空間部１５１は、突出筐体部１５０の一側面１５０Ａに入口を形成し、その入口を始点として筐体１０の内部の送出装置３６の手前側位置まで延びる空間として形成されている。装着空間部１５１の奥には、再送路で搬送された用紙９を給紙路の搬送ロール対３７に送り込むための、送り出し搬送ロール対３９が設けられている。また、突出筐体部１５０は、その上面１５０Ｂが排出口１１から排出される用紙９の排紙部として使用される。
【０１０８】
さらに、突出筐体部１５０は、装着空間部１５１を形成する関係で、給紙カセット３の装着時突出部（図１等参照）を覆う部分にもなっている。このため、突出筐体部１５０の下部には、給紙カセット３の一部を収容するカセット収容部１８０が形成されている。カセット収容部１８０は、一側面１５０Ａにその入口を形成し、その入口を始点として筐体１０に達するまで延びる空間として形成されている。この結果、この画像形成装置１００における給紙カセット３の第一引き出し方向Ａは突出筐体部１５０の一側面１５０Ａから外部にむけた方向となる。この第一引き出し方向Ａは、用紙の排出口１１からの排出方向Ｂと同類の方向にもなっている。
【０１０９】
また、この画像形成装置１００においても、両面・反転搬送装置２００を装着すると、その用紙の排出口５１からの排出方向Ｃ（図２５）が給紙カセット３の第一引き出し方向Ａとほぼ正反対の方向という異なった方向になる。このため、給紙カセット３が、第１の実施形態等の場合と同様に、その排出方向Ｃと同類の方向（第二引き出し方向Ｄ）にも引き出せる構造を採用している。従って、この画像形成装置１００にも、第１の実施形態等の場合と同様に、筐体１０の一部に取外し構造部１８を設けるとともに、連結機構６、規制装置７及び切替え装置８（８０）を設けている。
【０１１０】
画像形成装置１００への両面・反転搬送装置２００の装着は、両面・反転搬送装置２００における再送路差込部２５０を画像形成装置１００における装着空間部１５１に差し入れて押し込むことにより行われる。この際、再送路差込部２５０は、装着空間部１５１の奥において送り出し搬送ロール対３９と合体した状態になる。また、互いの排出口１１，５１が対向して接続される。さらに、両面・反転搬送装置２００の筐体上面５０Ｅと画像形成装置１００の筐体上面１０Ｂとが連続した面を形成するように結合して排紙部を構成する。
【０１１１】
また、この画像形成装置１００に両面・反転搬送装置２００を装着したときの画像形成は、次のように行われる。
【０１１２】
用紙片面への画像形成を行う場合や両面画像形成の２面目の画像形成が終了した時には、画像形成装置１００の排出口１１から排出された用紙９は、用紙搬送経路５５のみを通過して表裏面が反転された状態で排出口５１から排出され、筐体上面５０Ｅ及び筐体上面１０Ｂで構成される排紙部に収容される。また、両面画像形成の１面目の画像形成が終了した時には、画像形成装置１００の排出口１１から排出された用紙９は、用紙搬送経路５５を通して表裏面が反転された状態で排出口５１まで搬送された後、スイッチバック方式により、再送路差込部２５０に続く再送路に搬送される。そして、その再送路内の用紙９は、送り出し搬送ロール３９により所定のタイミングで給紙路に送り出された後、作像装置２の転写位置まで搬送され、その第２面に画像（トナー像）が形成される。
【０１１３】
そして、この両面・反転搬送装置２００を装着したときの画像形成装置１００においても、給紙カセット３の引き出しは、用紙９の排出方向Ｃと同類の矢印Ｄで示す第二引き出し方向に対して行われる。
【０１１４】
なお、上記両面・反転搬送装置２００は、図２６及び図２７に示すような構成からなる画像形成装置１１０に装着して使用することも可能である。
【０１１５】
画像形成装置１１０は、上記画像形成装置１００において突出筐体部１５０を増設することなく（図２４）、給紙カセット３を矢印Ａで示す方向に引き出すことができるように装着される構成するとともに、その給紙カセット３を引き出して筐体１０から取り外した装着空間部１５２を両面・反転搬送装置２００の装着空間部として利用するように構成している点で異なっているが、それ以外（次の増設用給紙装置を除く）については同じ構成のものである。また、この画像形成装置１１０は、両面・反転搬送装置２００を装着した際に、その筐体１０の下部に対し、給紙カセット３００を矢印Ｄで示す方向に引き出し可能に装着される構成の増設用給紙装置３５０を装着して使用するように構成している。
【０１１６】
画像形成装置１１０は、給紙カセット３が筐体１０に対して矢印Ａで示す方向に引き出すことができるように装着されているとともに、その給紙カセット３を筐体１０から矢印Ａ方向に引き出して筐体１０から取り外した後の装着空間部１５２を両面・反転搬送装置２００の再送路差込部２５０の装着（結合）空間部として利用するように構成されている。また、この画像形成装置１１０は、その給紙カセット３における送出装置３６Ｃを両面・反転搬送装置２００の再送路差込部２５における用紙９の送出装置として兼用する。
【０１１７】
増設用の給紙装置３５０は、用紙９を収容する給紙カセット３００が第１の実施形態における画像形成装置１の場合と同様に矢印Ｄで示す方向に引き出すことができるように装着されている。給紙カセット３００に収容される用紙９を１枚ずつ送出する送出装置３６０は、画像形成装置１１０の筐体１０の下部に設けた開口部とその開口部付近に設置した用紙搬送路（搬送ロール対３８等）と接続される。また、この増設用給紙装置３５０は、両面・反転搬送装置２００が画像形成装置１１０に装着されていないときには画像形成装置１１０に取り付けることができないが、その両面・反転搬送装置２００が画像形成装置１１０に装着されたときには画像形成装置１１０に取り付けることができるように構成されている。
【０１１８】
画像形成装置１１０への両面・反転搬送装置２００の装着は、画像形成装置１１０の給紙カセット３を取り外した後、両面・反転搬送装置２００における再送路差込部２５０を画像形成装置１００における装着空間１５２に差し入れて押し込むことにより行われる。この際、再送路差込部２５０は、装着空間部１５２の奥において送出搬送装置３６Ｃと合体した状態になる。また、互いの排出口１１，５１が対向して接続される。さらに、両面・反転搬送装置２００の筐体上面５０Ｅと画像形成装置１００の筐体上面１０Ｂとが連続した面を形成するように結合して排紙部を構成する。続いて、両面・反転搬送装置２００が装着された画像形成装置１１０に対して増設用の給紙装置３５０を装着する。この際、給紙装置３５０は画像形成装置１１０の筐体１０の下部に取り付けられた状態になり、また、その送出装置３６０が画像形成装置１１０側の用紙搬送路と接続された状態になる。
【０１１９】
そして、この両面・反転搬送装置２００を装着したときの画像形成装置１１０においては、図２７に示すように画像形成後の用紙９は両面・反転搬送装置２００の排出口５１から矢印Ｃで示す方向に排出される。一方、給紙カセット３００の引き出しは、増設用の給紙装置３５０において、上記両面・反転搬送装置２００における用紙９の排出方向Ｃと同類の矢印Ｄで示す引き出し方向に対して行われる。
【０１２０】
この他、第１の実施形態等においては、画像形成装置１，１００として、反転搬送装置５、両面・反転搬送装置２００を装着した際に給紙カセット３の第二引き出し方向Ｄを排出口５１からの排出方向Ｃとほぼ同じ方向に設定した場合を例示したが、必要であれば、第二引き出し方向Ｄについては、その排出方向Ｃとほぼ９０°の角度をなす方向に設定しても構わない。例えば、画像形成装置の筐体１０の排出口１１を設けた側面１０Ａと隣接する側面から外部に向けた方向に引き出すように構成する。
【０１２１】
また、画像形成装置１における作像装置２としては、複数色のトナー像を形成して用紙９にそれぞれ転写することができる多色像形成型の作像装置を適用してもよい。作像装置２における転写方式には、中間転写体を用いる公知の中間転写方式などを採用することも可能である。また、作像装置２としては、電子写真方式以外の記録方式（インクジェット記録方式、感熱記録方式など）を採用してもよい。さらに、用紙９としては、その装置内での搬送及び画像形成が可能なものであれば、その種類等に制約なく適用することができる。
【図面の簡単な説明】
【０１２２】
【図１】第１の実施形態等に係る画像形成装置を示す斜視図である。
【図２】第１の実施形態等に係る反転搬送装置を示す斜視図である。
【図３】図１の画像形成装置に図２の反転搬送装置を装着したときの状態（反転搬送装置を手前にして見たときの状態）を示す斜視図である。
【図４】図１の画像形成装置に図２の反転搬送装置を装着したときの状態（画像形成装置を手前にして見たときの状態）を示す斜視図である。図２の定着装置の片側端部から見たときの状態を示す説明図である。
【図５】図４の反転搬送装置を装着したときの画像形成装置において給紙カセットを引き出す状態を示す斜視図である。
【図６】図１の画像形成装置（給紙カセットを取り外した画像形成装置本体とその給紙カセット）及び図２の反転搬送装置の概略断面図である。
【図７】給紙カセットの構成を示す概略斜視図である。
【図８】図１の画像形成装置における画像形成動作などの状態を示す概略断面図である。
【図９】図３等の反転搬送装置を装着したときの画像形成装置における画像形成動作などの状態を示す概略断面図である。
【図１０】給紙カセットと制止装置及び切替え装置の構成を示す概略斜視図である。
【図１１】連結機構の構成及び状態（連結した状態）の要部を示す説明図である。
【図１２】連結機構の構成及び状態（非連結の状態）の要部を示す説明図である。
【図１３】制止装置と切替え装置の構成及び状態（反転搬送装置の非装着時の状態）の要部を示す斜視図である。
【図１４】図１３の制止装置と切替え装置における要部を示す斜視図である。
【図１５】制止装置と切替え装置の構成及び状態（反転搬送装置の装着時の状態）の要部を示す斜視図である。
【図１６】図１５の制止装置と切替え装置における要部を示す斜視図である。
【図１７】制止装置と切替え装置の各動作状態を示す説明図である。
【図１８】第２の実施形態に係る画像形成装置及び反転搬送装置の要部を示す概略斜視図である。
【図１９】図１８の画像形成装置等における切替え装置の構成及び状態を拡大して示す概略斜視図である。
【図２０】第３の実施形態に係る画像形成装置及び反転搬送装置の要部（操作パネル）を示す概略斜視図である。
【図２１】図２０の画像形成装置に反転搬送装置を装着した状態の要部（操作パネルの隠蔽状態）を示す概略斜視図である。
【図２２】図２１で示す状態における画像形成装置の操作パネル及び反転搬送装置の操作パネルの構成及び状態を示す断面斜視図である。
【図２３】画像形成装置の操作パネル及び反転搬送装置の操作パネルの構成及び状態の要部を示す斜視図である。
【図２４】両面・反転搬送装置と画像形成装置の構成を示す概略説明図である。
【図２５】図２４の画像形成装置に両面・反転搬送装置を装着したときの構成及び状態を示す概略説明図である。
【図２６】両面・反転搬送装置と画像形成装置（増設用の給紙装置を含む）の他の構成例を示す概略説明図である。
【図２７】図２６の画像形成装置に両面・反転搬送装置を装着したときの構成及び状態を示す概略説明図である。
【符号の説明】
【０１２３】
１，１００，１００Ａ…画像形成装置、２…作像装置、３，３００…給紙カセット（用紙収容体）、４…排出装置、５…反転搬送装置（追加搬送装置）、７…規制装置、８…切替え装置、９…用紙、１０…筐体、１１…排出口（第一排出口）、５０…筐体（第二筐体）、５５，２０５…用紙搬送路、１１０…第一操作パネル（第一操作部）、１１１…第一押しボタン、１２０…第二操作パネル（第二操作部）、１２１等…第二押しボタン、２００…両面・反転搬送装置（追加搬送装置）、Ａ…第一引き出し方向、Ｂ…画像形成装置における用紙の排出方向、Ｃ…反転搬送装置等における用紙の排出方向、Ｄ…第二引き出し方向（引き出し方向）。
【図１】
2009234693.tif 000003
【図２】
2009234693.tif 000004
【図３】
2009234693.tif 000005
【図４】
2009234693.tif 000006
【図５】
2009234693.tif 000007
【図６】
2009234693.tif 000008
【図７】
2009234693.tif 000009
【図８】
2009234693.tif 000010
【図９】
2009234693.tif 000011
【図１０】
2009234693.tif 000012
【図１１】
2009234693.tif 000013
【図１２】
2009234693.tif 000014
【図１３】
2009234693.tif 000015
【図１４】
2009234693.tif 000016
【図１５】
2009234693.tif 000017
【図１６】
2009234693.tif 000018
【図１７】
2009234693.tif 000019
【図１８】
2009234693.tif 000020
【図１９】
2009234693.tif 000021
【図２０】
2009234693.tif 000022
【図２１】
2009234693.tif 000023
【図２２】
2009234693.tif 000024
【図２３】
2009234693.tif 000025
【図２４】
2009234693.tif 000026
【図２５】
2009234693.tif 000027
【図２６】
2009234693.tif 000028
【図２７】
2009234693.tif 000029